(57)【要約】      （修正有）【課題】第一トレイ及び第二トレイが不用意に分離することで医療器具の落下を生ずることがなく、保持される器具が他物に直接接触することがなく精密で繊細な眼科用器具の洗浄に適し、小物品の格納も可能な、眼科用洗浄容器兼用トレイと、該眼科用洗浄容器兼用トレイに適した洗浄装置を含む洗浄システムを提供する。【解決手段】第一トレイ１０と第二トレイ１１とが相互に開閉可能となる眼科用洗浄容器兼用トレイ１において、第一トレイと第二トレイとの間に第三トレイ１２を介在した構成とし、第一トレイと第二トレイは夫々第三トレイに枢着し、第三トレイの高さが、第一トレイと第二トレイを閉状態として形成される高さと同一とし、第一トレイと第二トレイの閉状態における第三トレイ側に面する各壁部によって隔壁を形成し、隔壁には隔壁通水孔１０７を備え、第一トレイ及び第二トレイによって少なくとも上面に通水開口部１９を備えた眼科用洗浄容器兼用トレイ。【選択図】図１
0003152275.tif 000002
【実用新案登録請求の範囲】
【請求項１】
矩形輪郭を有し且つ通水孔を有する第一基板の各辺から壁部を起立した構成を有する第一トレイと、矩形輪郭を有し且つ通水孔を有する第二基板の各辺から壁部を起立した構成を有する第二トレイとが、相互に開閉可能となり、開状態でトレイとして機能し、閉状態で洗浄容器として機能する眼科用洗浄容器兼用トレイにおいて、
第一トレイと第二トレイとの間に第三トレイを介在した構成とし、第一トレイと第二トレイは夫々第三トレイに枢着し、第三トレイの幅が、第一トレイと第二トレイを閉状態として形成される全体幅と同一とし、第一トレイと第二トレイの閉状態における第三トレイ側に面する各隔壁形成板によって隔壁を形成し、該隔壁には通水孔を備え、第一トレイ及び第二トレイによって少なくとも上面に通水開口部を備えたことを特徴とする眼科用洗浄容器兼用トレイ。
【請求項２】
眼科用洗浄容器兼用トレイと、該眼科用洗浄容器兼用トレイを格納する洗浄槽と該洗浄槽内の洗浄液を循環させる循環ポンプ及び循環経路を有する洗浄装置を備えてなる洗浄システムにおいて、
眼科用洗浄容器兼用トレイは、請求項１に係る眼科用洗浄容器兼用トレイとし、閉状態とした眼科用洗浄容器兼用トレイの通水開口部は洗浄槽の上方に向けて配置し、通水開口部と隔壁の通水孔とを通ずる方向の水流を形成することを特徴とする洗浄システム。
【請求項３】
洗浄装置は洗浄槽の上部位置に傘型の超音波発生装置を備えたことを特徴とする請求項２記載の洗浄システム。
【考案の詳細な説明】
【技術分野】
【０００１】
本考案は、眼科において白内障手術等で使用する眼科用器具を載置するトレイであって、自動洗浄装置によって前記眼科用器具を格納して洗浄できる洗浄容器として兼用できる眼科用洗浄容器兼用トレイと、該眼科用洗浄容器兼用トレイを洗浄可能とする洗浄装置を含む洗浄システムに関する。
【背景技術】
【０００２】
医療現場では、手術や治療を行う際に、種々の医療用器具が用いられる。このうち眼科においては、白内障の手術、治療等を行う際に、眼科用鉗子等の眼科用器具を使用する。この眼科用器具は、通常の医療用器具よりも非常に繊細で且つ高価なものであり、特に先端部は、僅かな衝撃が加わっただけでも、変形する虞がある。そして一旦変形を生ずると、手術治療においてその眼科用器具の使用は患者の眼を傷つける虞を生じるため、再使用が困難となる事情があった。
【０００３】
ところで近年、一般的な医療器具の洗浄において、超音波によるキャビテーションを利用した洗浄装置が一般的に用いられている。しかしながら、前記した眼科用器具は、超音波洗浄に伴って生ずる微細な傷により長期間の使用により、変形等を生じ易い欠点がある。このため、超音波洗浄による劣化を避けるため、眼科用器具の洗浄は、超音波を使用しない洗浄装置を用いるか、或いは、手洗いによる洗浄作業で行われることも多かった。
【０００４】
しかしながら、超音波を全く使用しない洗浄装置では、十分な洗浄効果を得がたいものであった。また、手洗いによる洗浄作業は、非常にわずらわしいだけではなく、人為的なミスによって、高価な眼科用器具を変形、破損させる虞がある。
【０００５】
一方、洗浄装置で医療用器具を洗浄する際には、医療用器具を通水性を有する所定の洗浄容器に収納し、洗浄容器ごと洗浄装置で洗浄する。このようなものとしては、例えば、医療用及び歯科用器具の殺菌の容器として使用する殺菌器具カセットで、二つのトレイを分離、結合でき、軸で夫々のトレイに関して回転できる殺菌収納カセット（例えば、特許文献１参照。）が公知である。
【０００６】
また、歯科用又は外科用の機器トレイとして、例えば、対向する一対の直立した側壁と、これら側壁の間に延在していて、機器を相互に隔置された関係で位置決めするためのラックと、一方の側壁にヒンジ式に取付けられているクランプバーと、小さな付属品を該トレイの一部において上記機器から離した状態で保持するためのホルダを備えており、該ホルダは、該トレイにスナップ式に嵌合されており、上記クランプバーは、該バーを他方の側壁に取り外し可能に掛止して、上記機器をラックの適所に固定するための掛止手段を備えた機器トレイ（たとえば、特許文献２参照。）が公知である。
【先行技術文献】
【特許文献】
【０００７】
【特許文献１】米国特許第５２８４６３２号
【特許文献２】特表平１１−５０１８３８号公報
【考案の概要】
【考案が解決しようとする課題】
【０００８】
上記特許文献１に係る発明は、第一トレイ及び第二トレイが相互に分離結合可能な構成であることから、使用時に衝撃が加わった場合等において、不用意に分離する虞があり、当該不用意な分離が生ずることにより、収納された医療器具が落下したり、変形する虞があった。
また、眼科の処置に必要となる小物品を併せて洗浄するには、前記第一トレイ及び第二トレイを閉じた容器の状態で内部に格納することができるが、小物品はが容器内を自由に転がるため、医療器具に傷や変形を生ずる虞があった。
【０００９】
また、特許文献２に係る発明は、歯科又は外科用のトレイであり、対向する一対の直立した側壁と、これら側壁の間に延在していて、機器を相互に隔置された関係で位置決めするためのラックと、一方の側壁にヒンジ式に取付けられているクランプバーと、小さな付属品を該トレイの一部において上記機器から離した状態で保持するためのホルダを備えており、該ホルダは、該トレイにスナップ式に嵌合されており、上記クランプバーは、該バーを他方の側壁に取り外し可能に掛止して、上記機器をラックの適所に固定するための掛止手段を備えた機器トレイとしたことで、上記特許文献１の欠点である、カセット構造の複雑化、小物品の格納性能、機器の識別性能について、改善を試みたものである。
【００１０】
しかしながら、機器の識別性能を向上させたことによって、保持される医療器具が他物に直接接触する可能性が高い欠点がある。この欠点は、歯科又は一般的な外科用の器具であればさほど問題とならないが、精密で繊細な眼科用器具には適さないものであった。
【００１１】
本考案は、以上の事情に鑑みてなされたものであり、洗浄時に洗浄対象物である眼科用器具が劣化することがなく、第一トレイ及び第二トレイが不用意に分離することで医療器具の落下を生ずることがなく、また、保持される器具が他物に直接接触することがなく、その上で、小物品の格納も可能な、眼科用洗浄容器兼用トレイと、該眼科用洗浄容器兼用トレイに適した洗浄装置を含む洗浄システムの提供を、課題を解決するための手段とする。
【課題を解決するための手段】
【００１２】
本考案は、矩形輪郭を有し且つ通水孔を有する第一基板の各辺から壁部を起立した構成を有する第一トレイと、矩形輪郭を有し且つ通水孔を有する第二基板の各辺から壁部を起立した構成を有する第二トレイとが、相互に開閉可能となり、開状態でトレイとして機能し、閉状態で洗浄容器として機能する眼科用洗浄容器兼用トレイにおいて、
第一トレイと第二トレイとの間に第三トレイを介在した構成とし、第一トレイと第二トレイは夫々第三トレイに枢着し、第三トレイの幅が、第一トレイと第二トレイを閉状態として形成される全体幅と同一とし、第一トレイと第二トレイの閉状態における第三トレイ側に面する各隔壁形成板によって隔壁を形成し、該隔壁には通水孔を備え、第一トレイ及び第二トレイによって少なくとも上面に通水開口部を備えたことを特徴とする眼科用洗浄容器兼用トレイを、課題を解決するための手段とする。
【考案の効果】
【００１３】
請求項１に係る考案によれば、矩形輪郭を有し且つ通水孔を有する第一基板の各辺から壁部を起立した構成を有する第一トレイと、矩形輪郭を有し且つ通水孔を有する第二基板の各辺から壁部を起立した構成を有する第二トレイとが、相互に開閉可能となり、開状態でトレイとして機能し、閉状態で洗浄容器として機能する眼科用洗浄容器兼用トレイにおいて、第一トレイと第二トレイとの間に第三トレイを介在した構成とし、第一トレイと第二トレイは夫々第三トレイに枢着し、第三トレイの高さが、第一トレイと第二トレイを閉状態として形成される高さと同一とし、第一トレイと第二トレイの閉状態における第三トレイ側に面する各壁部によって隔壁を形成し、該隔壁には隔壁通水孔を備え、第一トレイ及び第二トレイによって少なくとも上面に通水開口部を備えたから、閉状態において、精密な眼科用器具は、第一トレイと第二トレイによって形成される収納空間内に保持され、他物に直接接触することなく保持することができ、眼科用機器の変形、破損等を防止することができる。
【００１４】
また、閉状態において、第三トレイと第三トレイ側の隔壁によって、小物品を、第三トレイ内に収納保持することができる。また、隔壁の隔壁通水孔と、第一トレイ及び第二トレイによって形成される通水開口部によって、洗浄時における十分な通水性が確保されるため、小物品についても十分な洗浄効果を得ることができる。
【００１５】
更に、第一トレイ及び第二トレイは夫々、第三トレイに枢着された構成であるから、不用意に第一トレイ若しくは第二トレイが外れることがなく、収納物の不慮の落下を防止することができる。
【００１６】
請求項２に係る考案によれば、眼科用洗浄容器兼用トレイと、該眼科用洗浄容器兼用トレイを格納する洗浄槽と該洗浄槽内の洗浄液を循環させる循環ポンプ及び循環経路を有する洗浄装置を備えてなる洗浄システムにおいて、眼科用洗浄容器兼用トレイは、請求項１に係る眼科用洗浄容器兼用トレイとし、閉状態とした眼科用洗浄容器兼用トレイの通水開口部は洗浄槽の上方に向けて配置したことから、循環ポンプと循環経路を介して流入した水流が、通水開口部から眼科用洗浄容器兼用トレイ内に入るため、小物品を第三トレイ内に収納保持した状態で、当該眼科用洗浄容器兼用トレイ内の滞留を防止して、通水開口部と隔壁の通水孔とを通ずる方向の水流を形成し、第三トレイと第三トレイ側の隔壁で形成された小物品収納空間内の小物品についても、十分な洗浄効果を得ることができる。
【００１７】
請求項３に係る考案によれば、上記請求項２に係る洗浄システムを前提として、洗浄装置は洗浄槽の上部位置に傘型の超音波発生装置を備えた構成としたことから、請求項２に係る考案の作用効果を得ることができる上に、洗浄槽の上部位置から傘型の超音波発生装置によって超音波発振を行うことにより、放射状に分散した振動を発生させることで、定在波の発生を抑えて大きなキャビテーションを起こさずに洗浄対象物の洗浄を行うことができる。このため、洗浄対象物である眼科用器具に対して繰り返し洗浄を行っても、大きな損傷を与えることがない。
【図面の簡単な説明】
【００１８】
【図１】本考案の実施例に係る眼科用洗浄容器兼用トレイを示す斜視図。
【図２】本考案の実施例に係る眼科用洗浄容器兼用トレイを示す平面図。
【図３】本考案の実施例に係る眼科用洗浄容器兼用トレイを示す左側面図。
【図４】本考案の実施例に係る眼科用洗浄容器兼用トレイにおける掛止具を省略した開放状態を示す説明図。
【図５】本考案の実施例に係る眼科用洗浄容器兼用トレイにおける図２のＡ−Ａ断面図。
【図６】本考案の実施例に係る眼科用洗浄容器兼用トレイにおける第一トレイ及び第二トレイの開放途中における一部平面説明図。
【図７】本考案の実施例に係る洗浄装置を示す説明図。
【考案を実施するための形態】
【００１９】
矩形輪郭を有し且つ通水孔を有する第一基板の各辺から壁部を起立した構成を有する第一トレイと、矩形輪郭を有し且つ通水孔を有する第二基板の各辺から壁部を起立した構成を有する第二トレイとが、相互に開閉可能となり、開状態でトレイとして機能し、閉状態で洗浄容器として機能する眼科用洗浄容器兼用トレイにおいて、第一トレイと第二トレイとの間に第三トレイを介在した構成とし、第一トレイと第二トレイは夫々第三トレイに枢着し、第三トレイの高さが、第一トレイと第二トレイを閉状態として形成される高さと同一とし、第一トレイと第二トレイの閉状態における第三トレイ側に面する各壁部によって隔壁を形成し、該隔壁には隔壁通水孔を備え、第一トレイ及び第二トレイによって少なくとも上面に通水開口部を備えた眼科用洗浄容器兼用トレイと、前記眼科用洗浄容器兼用トレイにおける通水開口部と隔壁の隔壁通水孔とを通ずる方向の水流を形成するための循環経路と循環ポンプを備え、洗浄槽の上部位置に傘型の超音波発生装置を備えた洗浄装置を有する洗浄システムとしたことによって、前記眼科用洗浄容器兼用トレイの閉状態において、精密な眼科用器具は、第一トレイと第二トレイによって形成される収納空間内に保持され、他物に直接接触することなく保持することができ、洗浄装置内及び輸送時における眼科用機器の変形、破損等を防止することができ、
また、洗浄装置は、前記眼科用洗浄容器兼用トレイと、該眼科用洗浄容器兼用トレイを格納する洗浄槽と該洗浄槽内の洗浄液を循環させる循環ポンプ及び循環経路を有する洗浄装置を備えてなる洗浄システムにおいて、閉状態とした眼科用洗浄容器兼用トレイの通水開口部は洗浄槽の上方に向けて配置したことから、循環ポンプと循環経路を介して流入した水流が、通水開口部から眼科用洗浄容器兼用トレイ内に入るため、小物品を第三トレイ内に収納保持した状態で、当該眼科用洗浄容器兼用トレイ内の滞留を防止して、通水開口部と隔壁の通水孔とを通ずる方向の水流を形成し、第三トレイと第三トレイ側の隔壁で形成された小物品収納空間内の小物品についても、十分な洗浄効果を得ることができ、
洗浄槽の上部位置から傘型の超音波発生装置によって超音波発振を行うことにより、放射状に分散した振動を発生させ、大きなキャビテーションを起こさずに洗浄対象物の洗浄を行うことができる。このため、洗浄対象物である眼科用器具に対して繰り返し洗浄を行っても、大きな損傷を与えることがないという優れた眼科用洗浄容器兼用トレイとそれを備えた洗浄システムを、実現した。
【実施例１】
【００２０】
本考案の実施例に係る眼科用洗浄容器兼用トレイ１は、図１乃至図６に示すように、主として、第一トレイ１０と第二トレイ１１を相互に開閉可能として対向して配置し、開閉時の第一トレイ１０及び第二トレイ１１の各基端側が第三トレイ１２に連結され、第一トレイ１０及び第二トレイ１１の各開閉側端部は相互を閉状態で保持するための掛止手段１６を備えた構成である。以下、各構成について、説明する。
【００２１】
第一トレイ１０は、プレス加工によって、矩形輪郭を有する第一基板１０３の各辺から折曲して起立形成される壁部を備えている。これらの壁部のうち、第三トレイ１２と連結される背面側の壁部を第一隔壁形成板１００とする。また、壁部のうち、眼科用洗浄容器兼用トレイ１の上面側に配置される壁部を上壁１０５とし、下面側に配置される壁部を下壁１０６とする。
【００２２】
第一基板１０３の内面側には、上下方向へ連続する合成樹脂製の器具保持体１３を、略中央位置及び開閉端側寄りとなる位置に配置している。器具保持体１３は、断面視略山形状であり、山形の峰に対して交差する方向に保持凹部１３０を形成してある。保持凹部１３０は眼科用器具３を保持する部分となる。
【００２３】
また、本実施例においては、第一基板１０３の内面側のうち、基端側となる位置に、前後方向へ器具保持体１３を二本設けてある。
【００２４】
そして、第一基板１０３のうち、これらの器具保持体１３に干渉しない位置には、スリット状の通水孔１０１を複数設けてある。通水孔１０１は上下方向に設けているが、第一基板１０３の全面に設けるのではなく、第一基板１０３に桟を形成するように、部分的に通水孔１０１を有しない補強部１５を設けてある。当該補強部１５を形成することによって、眼科用洗浄容器兼用トレイ１の強度を保持し、変形を防止することができる。
また、上壁１０５及び下壁１０６には、その縁面から切欠部１０４を形成してある。
【００２５】
第二トレイ１１は、前記第一トレイ１０と近似した構成である。具体的には、プレス加工によって矩形輪郭を有する第二基板１１３の各辺から折曲して起立形成される壁部を備えている。これら壁部のうち、第三トレイ１２と連結される背面側の壁部を第二隔壁形成板１１０とする。
【００２６】
第二基板１１３の内面側には、上下方向に連続する合成樹脂製の器具保持体１３を略中央位置、開閉端側寄りとなる位置、基端側寄りとなる位置の三箇所に配置している。
器具保持体１３の形状は、第一トレイ１０に設けたものと同様であるが、保持凹部１３０の位置は、予め収納を予定した眼科用器具３の種類に応じて必要となる位置に設けてある。
【００２７】
また、第二基板１１３においても、これらの器具保持体１３に干渉しない位置には、スリット状の通水孔１１１を複数設けてある。通水孔１１１は上下方向に設けているが、第一基板１０３の全面に設けるのではなく、桟を形成するように、部分的に通水孔１１１を有しない補強部１５を設けてある。
当該補強部１５を形成することによって、眼科用洗浄容器兼用トレイ１の強度を保持し、変形を防止することができる。
また、上壁１１５及び下壁１１６には、その縁面から切欠部１１４を形成してある。
【００２８】
第三トレイ１２は、プレス加工によって、矩形輪郭を有し、且つ通水孔１２１を有する第三基板の各辺から折曲して起立形成される壁部を備えている。そして、壁部のうち、左右の壁部の上端側及び下端側には、上記壁部から更に平面を延設して屈曲し、蝶番１７を取着するための蝶番設置部１８を形成してある。ここで、第三トレイ１２の幅Ｗ３は、第一トレイ１０と第二トレイ１１を閉状態として形成される幅Ｗと同一としてある。第三トレイ１２の各壁部には、スリット状の通水孔１２１を設けてある。
【００２９】
第一トレイ１０と第二トレイ１１は蝶番１７を用いて、夫々第三トレイ１２に枢着される。このうち、第一トレイ１０と第三トレイ１２は、第一トレイ１０の第一隔壁形成板１００と第三トレイ１２の蝶番設置部１８に蝶番１７を取着してある。また、第二トレイ１１と第三トレイ１２は、第二トレイ１１の第二隔壁形成板１１０と第三トレイ１２の蝶番設置部１８に蝶番１７を取着してある。
【００３０】
第一トレイ１０と第二トレイ１１が対向して閉状態となることで、前記第一トレイ１０の第一隔壁形成板１００と前記第二トレイ１１の第二隔壁形成板１１０は、同一平面上に並んで配置されて隔壁１４を形成する。そして、第三トレイ１２と当該隔壁１４によって囲まれた空間が、小物品を格納するための小物品収納空間１２０となる。
また、第一トレイ１０の切欠部１０４と第二トレイ１１の切欠部１１４との間に通水開口部が形成される。通水開口部は、本考案に係る眼科用洗浄容器兼用トレイにおける通水性を大幅に向上し、小物品収納空間への通水性を向上させる。
【００３１】
尚、本実施例においては、上記説明した以外にも、通水性をより向上させるために、第一トレイ１０、第二トレイ１１、第三トレイ１２の各部に、通水孔を設けている。
【００３２】
次に、本考案の実施例に係る洗浄システムについて説明する。
本考案の実施例に係る洗浄システムは、図７に示すように、上記眼科用洗浄容器兼用トレイ１と、四基の当該眼科用洗浄容器兼用トレイ１を保持し、通気性を有する保持バスケット４と、洗浄装置２を備えている。
【００３３】
洗浄槽２０と該洗浄槽２０の蓋部２２の内面に設けた傘状の発振子を有する二基の超音波発振装置２１と、夫々洗浄槽２０に対する、洗剤投入経路Ｒ５、給湯経路Ｒ２と、洗浄槽２０内の液を循環する循環経路Ｒ３と、洗浄槽２０内の液を外部へ排出する排水経路Ｒ４と、排水温度を低下させる給水経路Ｒ１を備える。また、各経路には適宜バルブ、ポンプ、センサ等を有する。
【００３４】
また、本実施例に係る洗浄装置２は、マイクロコンピュータを内臓し、マイクロコンピュータに搭載されるＣＰＵ（中央演算処理装置）が所定のプログラムを実行し、各バルブ、ポンプ、内部タイマー、センサ等の動作を制御することで自動運転が可能である。自動／手動切替スイッチで自動を選択し、自動ボタンを押すことで、前記ＣＰＵの制御により、予めプログラムによって決められた動作を自動的に実行できる。また、前記自動／手動切替スイッチを手動を選択することで、手動操作へ切り替え可能な構成である。以下、装置について説明する。
【００３５】
洗浄槽２０は、上記給湯経路Ｒ２、洗剤投入経路Ｒ５、循環経路Ｒ３、排水経路Ｒ４の夫々と接続した構成である。洗浄槽２０の上部には開閉可能な扉状の蓋部２２を備え、該蓋部２２の下面側には、二基の超音波発振装置２１を設けてある。当該超音波発振装置は傘状を有し、洗浄槽２０内に貯留された洗浄液全体に超音波を発振することができる。蓋部２２には安全性の観点から図示しないダンパーを設置してあり、蓋部２２の急激な開閉を制限してある。また、蓋部２２には、洗浄によって生ずる蒸気を逃すための蒸気逃し穴２９を設けてある。
【００３６】
洗浄槽２０の内部底面には循環経路Ｒ３の出水側開口部２８が開口している。また、当該洗浄槽２０内の底面下には、ヒータＨを配置してある。
更に、洗浄槽２０の側面には、洗剤５を洗浄槽２０へ供給する洗剤投入経路Ｒ５における洗剤投入口２３と循環経路Ｒ３の入水側開口部２４と、給湯口２７と、槽内温度センサＳ１と、第一オーバーフロー口２５、第二オーバーフロー口２６を設けてある。
【００３７】
洗剤投入経路Ｒ５は、洗剤が充填された洗剤用容器から洗剤投入用ポンプＰ２を用いて前記洗剤投入口２３へ繋がる配管によって形成してある。洗剤５は例えば、タンパク分解酵素を配合した無泡性の弱アルカリ性洗浄剤（例えば、クリーンケミカル株式会社製タンパク分解酵素配合無泡性弱アルカリ性洗浄剤であるレビクロス（商品名）専用洗浄剤）を使用することができる。
【００３８】
循環経路Ｒ３は出水側開口部２８から配管及び循環ポンプＰ１を介し、洗浄槽２０の上部と繋がる配管によって形成してある。また、循環ポンプＰ１の後方に、循環経路Ｒ３と排水経路Ｒ４を切り替える循環／排水バルブＶ３を備えた構成としてある。
【００３９】
洗浄槽２０の側面上端近傍に上方から設けた第二オーバーフロー口２６、第一オーバーフロー口２５を設けてある。第二オーバーフロー口２６内の空間と第一オーバーフロー口２５内の空間は連通している。
【００４０】
前記第二オーバーフロー口２６の近傍には、異常の検知を行う水位異常検知センサＳ３を設けてある。また、第一オーバーフロー口２５の近傍には、給湯及び空焚きの検知を行う給湯／空焚き検知センサＳ２を設けてある。
【００４１】
眼科用器具３の洗浄は、順に、（Ａ）予備洗浄工程、（Ｂ）本洗浄工程、（Ｃ）濯ぎ工程、（Ｄ）熱水処理工程、（Ｅ）エアブロー工程の５工程で行う。尚、特に除菌を丁寧に行う必要がなければ、（Ｄ）熱水処理工程は省略することもできる。この省略するか否かの選択は、予め設定した洗浄モードの選択によって行える。
【００４２】
洗浄作業は、洗浄装置２の上部の扉を開放し、眼科用器具３を収納保持した本考案の実施例に係る眼科用洗浄容器兼用トレイ１の下面を底にして立てた状態で、通水性を有する保持バスケット４に格納する。保持バスケット４は、金属線材を格子状に配置した籠としてある。眼科用洗浄容器兼用トレイ１を四基収納した保持バスケット４を、洗浄槽２０へ格納配置する。洗浄装置２の上部の蓋部２２を閉塞することで設置が完了する。
【００４３】
（Ａ）予備洗浄工程
実施例に係る洗浄装置２の洗浄液用容器に洗浄液を注入した状態とする。洗浄装置２の各バルブは初期状態において全閉である。洗浄装置２の電源を投入する。次に、自動運転を選択し、スタートボタンを押す。
【００４４】
給湯バルブＶ２が開となり、洗浄槽２０内へ給湯（洗浄液の供給）が開始される。また、循環／排水バルブＶ３を循環側として洗浄槽２０から循環経路Ｒ３へ給湯する。尚、本実施例における予備洗浄工程では、給湯のみ行い、洗剤５は添加していない。
【００４５】
給湯は、設定時間内に、給湯／空焚き検知センサＳ２による水位の検知がＯＮとなった状態で停止する。尚、水位異常検知センサＳ３がＯＮとなった場合、若しくは給湯／空焚き検知センサＳ２による水位の検知が設定時間内に検知されない場合に、ＣＰＵは異常検知と扱い、異常を知らせるブザーと異常表示ボタンの点灯がされる。
給湯の完了を検知すると、超音波発振子から超音波を１分間発振する。
【００４６】
循環／排水バルブＶ３を排水側とし、洗浄槽２０内の使用済みの洗浄液を排水経路Ｒ４から排水する。
【００４７】
本洗浄工程では、洗浄液は、洗剤５を加えたものを使用する。尚、上記したように、本実施例において添加する洗剤５はタンパク分解酵素を配合した無泡性の弱アルカリ性洗浄剤としている。
【００４８】
循環ポンプＰ１の作動によって循環側に切り替えた循環／排水バルブＶ３を経由して洗浄槽２０から循環経路Ｒ３へ給湯される。洗浄液の温度は、洗剤５の洗浄力が優れる温度として、概ね５０℃に制御される。給湯に並行して、洗剤投入用ポンプＰ２を作動させ、内部タイマーによって一定時間、洗浄槽２０内に洗剤５を供給する。洗剤投入用ポンプＰ２は作動時間経過後、停止する。
【００４９】
給湯の完了を給湯／空焚き検知センサＳ２で検知し、ＣＰＵが給湯バルブＶ２を閉とする。
【００５０】
ここで、通水性を有する保持バスケット４に保持された眼科用洗浄容器兼用トレイ１に形成された通水開口部１９と、通水孔１０１、１１１、１２１から洗浄液が浸入循環し、眼科用器具３の洗浄が行われる。
【００５１】
この際に、第三トレイ１２と第三トレイ１２側の隔壁で小物品を第三トレイ１２内に収納保持した状態で、隔壁１４の隔壁通水孔１０７、１１７と第一トレイ１０及び第二トレイ１１によって形成される通水開口部１９に対して、循環経路Ｒ３及び循環ポンプＰ１によって水流が送られて、通水開口部１９と隔壁１４の隔壁通水孔１０７、１１７とを通ずる方向の水流が形成されることで、小物品は、眼科用洗浄容器兼用トレイ１の小物品収納空間１２０からこぼれることもなく、十分な洗浄効果を得ることができる。
【００５２】
設定時間の経過により、循環ポンプＰ１を停止する。そして、所定時間、洗浄槽２０の上部位置から傘型の超音波発生装置２１から超音波を発振し、超音波洗浄を行う。
【００５３】
当該超音波発生装置２１の傘型の超音波発振から超音波を発振することにより、放射状に分散した振動を発生させ、大きなキャビテーションを起こさずに洗浄対象物の洗浄を行うことができる。
【００５４】
超音波洗浄を終了後、循環／排水バルブＶ３を排水側へ切り替えて、排水経路Ｒ４から排水を行う。
【００５５】
（Ｃ）濯ぎ工程
排水後、洗浄槽２０内へ給湯（洗浄液の供給）を行う。循環ポンプＰ１の作動によって循環側に切り替えた循環／排水バルブＶ３を経由して洗浄槽２０から循環経路Ｒ３へ給湯される。洗浄液の温度は、概ね５０℃に制御される。
【００５６】
設定時間の経過により、循環ポンプＰ１を停止する。そして、所定時間、超音波発振子から超音波を発振し、超音波洗浄を行う。
【００５７】
（Ｄ）熱水処理工程
濯ぎ工程終了後、熱処理工程を行う。
循環／排水バルブＶ３を循環側とし、給湯バルブＶ２を開とし、他のバルブを閉とする。給湯を開始し、給湯／空焚き検知センサＳ２が給湯の完了を検知すると、ＣＰＵが給湯バルブＶ２を閉とする。
【００５８】
循環／排水バルブＶ３が循環側の状態で、循環ポンプＰ１及びヒータＨを作動させる。加温によって湯温を設定温度である８０℃となるまで洗浄液（湯）の循環を行う。
【００５９】
前記設定温度８０℃となることを検知すると、ヒータＨで更に加温し、次の設定温度である９３℃にまで洗浄液の温度を上昇させる。設定温度に達すると、その温度を１０分間保持する。当該加温処理によって、洗浄対象物である眼科用器具３の殺菌洗浄を行う。
【００６０】
殺菌後、排水を行う。洗浄液は高温であるので、給水経路Ｒ１から水を排水経路Ｒ４へ供給し、洗浄液の温度を下げて、排水する。
【００６１】
（Ｅ）エアブロー工程
エアポンプＰ３から高圧のエアを洗浄槽２０内へ噴射し、更に、洗浄槽２０内の水滴を強制的に排水させ、洗浄槽２０内の乾燥を促進させる。所定時間の経過によって、洗浄装置２の自動洗浄動作が完了する。
【００６２】
以上のようにして洗浄、殺菌された本考案に係る眼科用洗浄容器兼用トレイ１、及び本考案に係る洗浄システムは、従来の煩雑な眼科用器具の洗浄を含む医療現場での該眼科用器具の流通性を大きく改善できる。この本考案に係る眼科用洗浄容器兼用トレイと洗浄システムを利用した医療現場での流通性の改善は、具体的には、以下の手順により行うことができる。
【００６３】
先ず、本考案に係る眼科用洗浄容器兼用トレイ１を開放状態としてトレイとして機能させ、眼科用器具３をトレイから容易に取り出すことができるようにして、眼科手術や眼科治療において使用する。この際に使用済みとなった眼科用器具３は、そのまま当該眼科用洗浄容器兼用トレイ１内に戻す。
【００６４】
眼科手術若しくは眼科治療の終了後、当該眼科用洗浄容器兼用トレイ１を閉塞し、本考案の洗浄システムにおける通水性を有する保持バスケット４内に収納する。
【００６５】
本考案の洗浄システムにおける洗浄装置によって、当該眼科用洗浄容器兼用トレイに格納された眼科用器具の洗浄を行う。洗浄は、上記実施例で示した（Ａ）予備洗浄工程、（Ｂ）本洗浄工程、（Ｃ）濯ぎ工程、（Ｄ）熱水処理工程、（Ｅ）エアブロー工程の５工程で行う。
【００６６】
このようにして洗浄された、眼科用器具を収納した眼科用洗浄容器兼用トレイを保持バスケット４から取り出し、市販の滅菌用のパックに収納する。
【００６７】
オートクレーブ（本考案においては、高温高圧下で滅菌処理を行うことが可能な滅菌装置を意味する。）内に滅菌用のパックに眼科用洗浄容器兼用トレイごと収納した眼科用器具を格納し、滅菌処理を行う。
滅菌処理は概ね、１２３℃〜１３１℃程度で行うことで、効率のよい滅菌処理を行うことができる。
【００６８】
滅菌後、オートクレーブから取出し、滅菌用のパックに収納した状態で保存する。次の眼科用器具３の使用時に、眼科用洗浄容器兼用トレイ１を滅菌用のパックから取り出して、当該眼科用洗浄容器兼用トレイ１を開くだけで、洗浄殺菌された眼科用器具３を使用できる。
【００６９】
以上の工程を繰り返すことで、手作業による洗浄の必要もなく、また器具の損傷等を招来することもなく、医療現場での流通性を良好とすることができる。
【００７０】
そして、本考案に係る洗浄システムによれば、大きなキャビテーションを起こさずに眼科用器具３の洗浄を行うことができるため、洗浄時に洗浄対象物である前記眼科用器具３が劣化することがなく、また、第一トレイ１０及び第二トレイ１１が不用意に分離して眼科用器具３の落下を招来することがなく、また、保持される眼科用器具３が他物に直接接触することもなく安全に保持でき、その上で、小物品の格納、洗浄も可能とすることで、上記医療現場での流通性の大幅な向上にも資することができる。
【００７１】
尚、本実施例では、眼科用洗浄容器兼用トレイ１を保持バスケット４に収納して洗浄を行うものとしたが、保持バスケット４は必ずしも必要なものではなく、直接眼科用洗浄容器兼用トレイ１を洗浄装置内に配置することもできる。
【符号の説明】
【００７２】
１        眼科用洗浄容器兼用トレイ
１０      第一トレイ
１００    第一隔壁形成板
１０１    通水孔
１０２    壁部
１０３    第一基板
１０４    切欠部
１０５    上壁
１０６    下壁
１０７    隔壁通水孔
１１      第二トレイ
１１０    第二隔壁形成板
１１１    通水孔
１１２    壁部
１１３    第二基板
１１４    切欠部
１１５    上壁
１１６    下壁
１１７    隔壁通水孔
１２      第三トレイ
１２０    小物品格納空間
１２１    通水孔
１２２    壁部
１２３    第三基板
１３      器具保持体
１３０    保持凹部
１４      隔壁
１５      補強部
１６      掛止手段
１７      蝶番
１８      蝶番設置部
１９      通水開口部
２        洗浄装置
２０      洗浄槽
２１      超音波発振装置
２２      蓋部
２３      洗剤投入口
２４      入水側開口部
２５      第一オーバーフロー口
２６      第二オーバーフロー口
２７      給湯口
２８      出水側開口部
２９      蒸気逃し穴
３        眼科用器具
４        保持バスケット
５        洗剤
Ｈ        ヒータ
Ｐ１      循環ポンプ
Ｐ２      洗剤投入用ポンプ
Ｐ３      エアポンプ
Ｓ１      槽内温度センサＳ１
Ｓ２      給湯／空焚き検知センサ
Ｓ３      水位異常検知センサ
Ｒ１      給湯経路
Ｒ２      給湯経路
Ｒ３      循環経路
Ｒ４      排水経路
Ｒ５      洗剤投入経路
Ｖ１      給水バルブ
Ｖ２      給湯バルブ
Ｖ３      循環／排水バルブ
Ｖ４      定流量バルブ
Ｗ        幅
Ｗ３      幅
【図１】
0003152275.tif 000003
【図２】
0003152275.tif 000004
【図３】
0003152275.tif 000005
【図４】
0003152275.tif 000006
【図５】
0003152275.tif 000007
【図６】
0003152275.tif 000008
【図７】
0003152275.tif 000009